(57)【要約】【課題】  ＩＰ電話端末を登録、非登録、障害という３つの状態で管理することにより当該呼を最適な転送先に転送し得るようにしたＩＰ電話システムを提供する。【解決手段】  ＩＰ電話端末３−１〜３−４の何れかからＩＰ−ＰＢＸ１に対してユーザ登録情報を用いて端末登録することにより当該ＩＰ電話端末を当該ユーザに割り当てた電話番号で発着信可能な状態にして運用するＩＰ電話システムにおけるＩＰ−ＰＢＸ１は、制御対象とするＩＰ電話端末３−１〜３−４のそれぞれが、現時点および直前の時点において、登録状態、非登録状態、障害状態の何れかを識別する端末状態識別機能と、グループ内の全ＩＰ電話端末が障害状態になった場合の当該グループ内の直前の時点の状態が登録状態／非登録状態のＩＰ電話端末への着信時に、当該グループに予め設定された登録状態用／非登録状態用の障害時転送先電話端末に当該呼を転送する障害時転送先変更機能とを具備して成る。【選択図】図１
2006140876.tif 000002
【特許請求の範囲】
【請求項１】
ＩＰ構内交換機と、該ＩＰ構内交換機にＬＡＮ接続される複数のＩＰ電話端末と、前記ＩＰ構内交換機に接続される非ＩＰ電話端末とを備え、所定のＩＰ電話端末から前記ＩＰ構内交換機に対してユーザ登録情報を用いて端末登録することにより前記所定のＩＰ電話端末を当該ユーザに割り当てた電話番号で発着信可能な状態にして運用するＩＰ電話システムであって、
前記ＩＰ構内交換機は、制御対象とする前記複数のＩＰ電話端末をグループ毎に管理するグループ管理機能と、制御対象とする前記複数のＩＰ電話端末のそれぞれが、現時点および直前の時点において、登録状態、非登録状態、障害状態の何れに該当するかを識別する端末状態識別機能と、グループ内の全てのＩＰ電話端末が障害状態になった場合の当該グループ内の直前の時点の状態が登録状態／非登録状態のＩＰ電話端末への着信時に、当該グループに予め設定された登録状態用／非登録状態用の障害時転送先電話端末に当該呼を転送する障害時転送先変更機能とを具備して成ることを特徴とするＩＰ電話システム。
【請求項２】
前記登録状態用／非登録状態用の障害時転送先電話端末は、予め設定された非登録時転送先電話端末とは異なる電話端末とすることを特徴とする請求項１記載のＩＰ電話システム。
【請求項３】
前記登録状態用／非登録状態用の障害時転送先電話端末は、非ＩＰ電話端末とすることを特徴とする請求項２記載のＩＰ電話システム。
【請求項４】
前記登録状態用の障害時転送先電話端末は、予め設定された非ＩＰ電話端末とし、前記非登録状態用の障害時転送先電話端末は、ボイスメール装置とすることを特徴とする請求項１記載のＩＰ電話システム。
【発明の詳細な説明】
【技術分野】
【０００１】
本発明は、ＩＰ構内交換機と、該ＩＰ構内交換機にＬＡＮ接続される複数のＩＰ電話端末と、前記ＩＰ構内交換機に接続される非ＩＰ電話端末とを備え、所定のＩＰ電話端末から前記ＩＰ構内交換機に対してユーザ登録情報を用いて端末登録することにより前記所定のＩＰ電話端末を当該ユーザに割り当てた電話番号で発着信可能な状態にして運用するＩＰ電話システムに関するものである。
【背景技術】
【０００２】
ＩＰ電話システムの従来例としては、例えば図４に概略構成を示すように、ＩＰ構内交換機（以下、ＩＰ−ＰＢＸという）１と、ＩＰ−ＰＢＸ１にＬＡＮ２を介して接続される複数のＩＰ電話端末（図示例の場合、ＩＰ電話端末３−１〜３−４）と、ＩＰ−ＰＢＸ１に内線接続される非ＩＰ電話端末（例えばアナログ電話機）４−１，４−２とを備え、所定のＩＰ電話端末からＩＰ−ＰＢＸ１に対してユーザ登録情報（ＩＤ、パスワード等）を用いて端末登録（ログイン）することにより前記所定のＩＰ電話端末を当該ユーザに割り当てた電話番号で発着信可能な状態にして運用するＩＰ電話システム（例えば非特許文献１参照）がある。
【０００３】
図４に示すＩＰ電話システムでは、複数のＩＰ電話端末はグループに区分されており、ＩＰ電話端末３−１（内線番号２０００）およびＩＰ電話端末３−２（内線番号２００１）はグループ１に属しており、ＩＰ電話端末３−３（内線番号３０００）およびＩＰ電話端末３−４（内線番号３００１）はグループｎに属している。また、ＩＰ電話端末３−１の端末非登録（ログアウト）時の転送先（転送先１）として、非ＩＰ電話端末４−１が設定されている。
このＩＰ電話システムにおけるＩＰ−ＰＢＸ１は、ＩＰ電話端末を登録（ログイン）状態と、非登録（ログアウト）状態との２つの状態で管理しており、ＩＰ電話端末に対して着信があったとき、登録（ログイン）状態のＩＰ電話端末については、通常の着信動作もしくは話中等の場合は予め設定された転送先への着信／転送を行ない、非登録（ログアウト）状態のＩＰ電話端末については、当該ＩＰ電話端末に着信させることが不可能であるため、発呼者に対し話中音を聴取させるか、あるいは、予め転送先が設定されている場合にはその転送先の電話端末等に着信転送する。例えば図示のように、ＩＰ電話端末３−１が非登録（ログアウト）状態、ＩＰ電話端末３−２が登録（ログイン）状態、ＩＰ電話端末３−３が登録（ログイン）状態、ＩＰ電話端末３−４が登録（ログイン）状態になっていたときに、公衆網からＩＰ電話端末３−１に着信した場合、ＩＰ電話端末３−１は非登録（ログアウト）状態であるため、ＩＰ−ＰＢＸ１は、ＩＰ電話端末３−１に予め設定されている転送先である非ＩＰ電話端末４−１に着信転送させる。なお、ＩＰ電話端末２−３から着信があったＩＰ電話端末３−２は、登録（ログイン）状態であるため、ＩＰ−ＰＢＸ１は、そのままＩＰ電話端末３−２に着信させる。
以上をまとめると、図５に示すようになる。なお、図５中に記載した「ＡＡＡ」〜「ＨＨＨ」は任意の文字列とし、「ＪＪＪ」〜「ＬＬＬ」は、所定の電話端末とする。
【０００４】
【非特許文献１】ＮＥＣ製  ＡＰＥＸ７６００ｉ  カタログ  Ｖｏｌ．２  Ｃａｔ．Ｎｏ．ＢＣＣ０５２  ０１１１２０００２ＤＭ  ４頁
【発明の開示】
【発明が解決しようとする課題】
【０００５】
上記従来例のＩＰ電話システムは、ＩＰ電話端末を登録（ログイン）状態、非登録（ログアウト）状態の２つの状態のみで管理しているため、不在等により非登録状態になっている場合と、停電等により在席中にも拘わらず使用不可な障害状態になっている場合とが区別できず、上記２つの場合を同一に扱うため、在席中であるにも拘わらず不在時と同じ転送先に着信させてしまうという問題が生じる。そのため、例えば、「非登録（ログアウト）時にはボイスメール装置へ転送する」という設定をしていた場合には、停電時には、在席中であるにも拘わらず、当該着信に応答することができなってしまう。
【０００６】
本発明は、ＩＰ電話端末を登録、非登録、障害という３つの状態で管理することにより当該呼を最適な転送先に転送し得るようにしたＩＰ電話システムを提供することを目的とする。
【課題を解決するための手段】
【０００７】
上記目的を達成するため、請求項１に記載の第１発明は、ＩＰ構内交換機と、該ＩＰ構内交換機にＬＡＮ接続される複数のＩＰ電話端末と、前記ＩＰ構内交換機に接続される非ＩＰ電話端末とを備え、所定のＩＰ電話端末から前記ＩＰ構内交換機に対してユーザ登録情報を用いて端末登録することにより前記所定のＩＰ電話端末を当該ユーザに割り当てた電話番号で発着信可能な状態にして運用するＩＰ電話システムであって、前記ＩＰ構内交換機は、制御対象とする前記複数のＩＰ電話端末をグループ毎に管理するグループ管理機能と、制御対象とする前記複数のＩＰ電話端末のそれぞれが、現時点および直前の時点において、登録状態、非登録状態、障害状態の何れに該当するかを識別する端末状態識別機能と、グループ内の全てのＩＰ電話端末が障害状態になった場合の当該グループ内の直前の時点の状態が登録状態／非登録状態のＩＰ電話端末への着信時に、当該グループに予め設定された登録状態用／非登録状態用の障害時転送先電話端末に当該呼を転送する障害時転送先変更機能とを具備して成ることを特徴とする。
【０００８】
請求項２に記載の第２発明は、前記登録状態用／非登録状態用の障害時転送先電話端末は、予め設定された非登録時転送先電話端末とは異なる電話端末とすることを特徴とする。
【０００９】
請求項３に記載の第３発明は、前記登録状態用／非登録状態用の障害時転送先電話端末は、非ＩＰ電話端末とすることを特徴とする。
【００１０】
請求項４に記載の第４発明は、前記登録状態用の障害時転送先電話端末は、予め設定された非ＩＰ電話端末とし、前記非登録状態用の障害時転送先電話端末は、ボイスメール装置とすることを特徴とする。
【発明の効果】
【００１１】
第１発明によれば、ＩＰ構内交換機と、該ＩＰ構内交換機にＬＡＮ接続される複数のＩＰ電話端末と、前記ＩＰ構内交換機に接続される非ＩＰ電話端末とを備え、所定のＩＰ電話端末から前記ＩＰ構内交換機に対してユーザ登録情報を用いて端末登録することにより前記所定のＩＰ電話端末を当該ユーザに割り当てた電話番号で発着信可能な状態にして運用するＩＰ電話システムにおけるＩＰ構内交換機は、制御対象とする前記複数のＩＰ電話端末をグループ毎に管理するグループ管理機能と、制御対象とする前記複数のＩＰ電話端末のそれぞれが、現時点および直前の時点において、登録状態、非登録状態、障害状態の何れに該当するかを識別する端末状態識別機能と、グループ内の全てのＩＰ電話端末が障害状態になった場合の当該グループ内の直前の時点の状態が登録状態／非登録状態のＩＰ電話端末への着信時に、当該グループに予め設定された登録状態用／非登録状態用の障害時転送先電話端末に当該呼を転送する障害時転送先変更機能とを具備して成るから、非登録（ログアウト）時の転送先電話端末と、障害時の転送先電話端末である登録状態用／非登録状態用の障害時転送先電話端末とを別々に設定できるようになるとともに、障害状態に陥る前の状態が登録（ログイン）状態であったか、非登録（ログアウト）状態であったかを管理できるようになる。したがって、障害状態に陥る前の状態が登録（ログイン）状態であった場合は在席と判断して、在席に適した登録状態用の転送先電話端末に当該呼を転送し、障害状態に陥る前の状態が非登録（ログアウト）状態であった場合は不在と判断して、不在に適した非登録状態用の転送先電話端末に当該呼を転送することにより、当該呼を最適な転送先に転送できるようになる。
【００１２】
第２発明によれば、前記登録状態用／非登録状態用の障害時転送先電話端末は、予め設定された非登録時転送先電話端末とは異なる電話端末とするから、不在等により非登録（ログアウト）状態になっている場合と、停電等により在席中にも拘わらず使用不可な障害状態になっている場合とで、異なる電話端末に当該呼を転送できるようになる。
【００１３】
第３発明によれば、前記前記登録状態用／非登録状態用の障害時転送先電話端末は、非ＩＰ電話端末とするから、当該呼は停電時でも操作可能な非ＩＰ電話端末に転送されることになり、確実に当該呼に応答できるようになる。
【００１４】
第４発明によれば、前記登録状態用の障害時転送先電話端末は、予め設定された非ＩＰ電話端末とし、前記非登録状態用の障害時転送先電話端末は、ボイスメール装置とするから、在席と判断される登録状態のＩＰ電話端末への着信時には当該呼は予め設定された非ＩＰ電話端末に転送され、不在と判断される非登録状態のＩＰ電話端末への着信時には当該呼はボイスメール装置に転送されることになり、当該呼を最適な転送先に転送できるようになる。
【発明を実施するための最良の形態】
【００１５】
以下、本発明を実施するための最良の形態を図面に基づき詳細に説明する。
図１は本発明の第１実施形態のＩＰ電話システムの概略構成を示す図である。本実施形態のＩＰ電話システムは、基本的な構成は上述した図４の従来例とほぼ同様であるが、ＩＰ構内交換機（以下、ＩＰ−ＰＢＸという）１の機能が上記従来例に対して拡張されている。
すなわち、本実施形態の電話システムは、図１に示すように、ＩＰ−ＰＢＸ１と、ＩＰ−ＰＢＸ１にＬＡＮ２を介して接続される複数のＩＰ電話端末（図示例の場合、ＩＰ電話端末３−１〜３−４）と、ＩＰ−ＰＢＸ１に内線接続される非ＩＰ電話端末（例えばアナログ電話機）４−１〜４−４とを具備して成る。本実施形態のＩＰ−ＰＢＸ１は、ＩＰ電話端末を登録（ログイン）状態と、非登録（ログアウト）状態と、障害状態との３つの状態で管理するように機能拡張されている。なお、本実施形態のＩＰ−ＰＢＸ１は、上記従来例と同様に、所定のＩＰ電話端末からＩＰ−ＰＢＸ１に対してユーザ登録情報（ＩＤ、パスワード等）を用いて端末登録（ログイン）することにより、前記所定のＩＰ電話端末を当該ユーザに割り当てた電話番号で発着信可能な状態にして運用するように構成されている。
【００１６】
本実施形態のＩＰ電話システムでは、複数のＩＰ電話端末は複数（その内の２つを図示している）のグループに区分されており、ＩＰ電話端末３−１（内線番号２０００）およびＩＰ電話端末３−２（内線番号２００１）はグループ１に属しており、ＩＰ電話端末３−３（内線番号３０００）およびＩＰ電話端末３−４（内線番号３００１）はグループｎに属している。また、ＩＰ電話端末３−１には端末非登録（ログアウト）時の転送先（転送先１）として非ＩＰ電話端末４−１が設定されており、ＩＰ電話端末３−２には端末登録（ログイン）時の転送先（転送先２）として非ＩＰ電話端末４−２が設定されており、グループ１には、後に詳述するように、障害時の登録状態用／非登録状態用の転送先（転送先３、転送先４）として、非ＩＰ電話端末４−３，４−４が設定されている。
【００１７】
上記ＩＰ−ＰＢＸ１は、ＩＰ電話端末等の電話端末を制御するために、通常の構内交換機の機能に加えて、ＩＰ（Internet Protocol ）制御に関する各種機能を有するように構成されている。以下に、ＩＰ−ＰＢＸ１の各種機能を詳細に説明する。なお、本実施形態ではＩＰ−ＰＢＸ１を用いているが、代わりに呼制御サーバ等を用いてもよい。
（１）端末状態識別機能
制御対象とする自システム内の複数のＩＰ電話端末であるＩＰ電話端末３−１〜３−４のそれぞれが、現時点および直前の時点（例えば現時点から１分前）において、登録状態、非登録状態、障害状態という３つの状態のどの状態になっているかを識別する機能である。
登録状態（ログイン状態）とは、所定のＩＰ電話端末（例えばＩＰ電話端末３−２）からＩＰ−ＰＢＸ１に対して予め設定されたユーザ登録情報（本実施形態ではＩＤ、パスワードを用いるものとする）を入力する登録操作を行うことにより、当該ＩＰ電話端末（例えばＩＰ電話端末３−２）を当該ユーザに割り当てた内線番号で発着信可能な状態にすることである。
非登録状態（ログアウト状態）とは、登録状態になっているＩＰ電話端末（例えばＩＰ電話端末３−２）からＩＰ−ＰＢＸ１に対して予め設定されたユーザ登録解除情報を入力する登録解除操作を行うことにより、当該ＩＰ電話端末（例えばＩＰ電話端末３−２）に割当済みの内線番号を解除して発着信不可能な状態にすることである。
障害状態とは、停電や接続されたスイッチングハブの不良等により、当該ＩＰ電話機とＩＰ−ＰＢＸ１との間のＩＰリンクが切断された状態である。
【００１８】
（２）グループ管理機能
制御対象とする自システム内の複数のＩＰ電話端末であるＩＰ電話端末３−１〜３−４を所定分割単位（部、課長等）で複数（上記の場合、２つの）グループに区分して、グループ毎に管理する機能である。
（３）状態別着信転送機能
上記３つの状態のそれぞれに応じて、着信転送先を変更する機能である。具体的には、
a)登録状態（ログイン状態）のＩＰ電話端末３−２に着信した場合、原則的には通常の着信動作を行い、話中や設定時間以上不応答等の場合には予め設定された転送先（端末登録時転送先）である転送先２の非ＩＰ電話端末４−２への着信転送を行なう。
b)非登録状態（ログアウト状態）のＩＰ電話端末３−１に着信した場合、予め設定された転送先（端末非登録時転送先）である転送先１の非ＩＰ電話端末４−１への着転送信を行なう。
c)障害状態のＩＰ電話端末（ＩＰ電話端末３−１，ＩＰ電話端末）３−２に着信した場合、障害の前の状態に応じて設定した障害時転送先電話端末への着転送信を行なう（詳細については、（４）を参照のこと）。
【００１９】
（４）障害時転送先変更機能
グループ内の全ＩＰ電話端末が障害状態になったグループ１に属するＩＰ電話端末に着信した場合、非登録状態（ログアウト状態）のＩＰ電話端末３−１への着信であれば、グループ１に予め設定された非登録状態用の障害時転送先電話端末である転送先３の非ＩＰ電話端末４−４への着転送信を行ない、登録状態（ログイン状態）のＩＰ電話端末３−２への着信であれば、グループ１に予め設定された登録状態用の障害時転送先電話端末である転送先４の非ＩＰ電話端末４−３への着転送信を行なうように、障害前の状態が登録状態であったか非登録状態であったかにより、停電等により障害になったときの着信時の転送先を自動的に変更する機能である。
（５）外部設定変更機能
ＩＰ−ＰＢＸ１の外部機器である非ＩＰ電話機から、障害状態になったＩＰ電話機の転送先を設定変更する機能である。なお、この機能は、従来からある機能である。
【００２０】
以上の機能をまとめると、図２に示すようになる。なお、図２中に記載した「ＡＡＡ」〜「ＨＨＨ」は任意の文字列とし、「ＪＪＪ」〜「ＮＮＮ」は、所定の電話端末とする。
【００２１】
次に、本実施形態のＩＰ電話システムの着信／転送動作を、通常時と非常時とに区分して、具体的な例に基づいて説明する。
［通常時］
本実施形態のＩＰ電話システムを設置した事業所等に各自が出社して、机に設置された本人用のＩＰ電話端末で登録（ログイン）操作を行なうことにより、当該ＩＰ電話端末が各自の内線電話として使用可能（動作可能）になり、当該ＩＰ電話端末は発着信可能な状態になる。その後、着信時には、通常の着信動作もしくは話中等の場合は予め設定された転送先への着信転送が行われる。
一方、各自が退社時等に非登録（ログアウト）操作を行なうことにより、当該ＩＰ電話端末に割当済みの内線番号が解除されるので、その内線番号に着信した呼は、自動的に予め設定された転送先へ着信転送されることになる。
【００２２】
［障害時］
停電やＬＡＮ機器の障害等により、グループ内のＩＰ電話端末とＩＰ−ＰＢＸ１との間のＩＰリンクが断絶したときには、ＩＰ−ＰＢＸ１が「障害状態である」と認識して、直前の時点の状態が登録状態／非登録状態のどちらの状態であるかに応じて着信転送先を決定および変更する。
すなわち、障害直前の状態が登録状態であるＩＰ電話端末３−２は、「在席中である」と判断して、予め設定されている非ＩＰ電話端末４−３に当該呼を転送する。一方、障害直前の状態が非登録状態であるＩＰ電話端末３−１は、「不在である」と判断して、予め設定されている非ＩＰ電話端末４−４に当該呼を転送する。
なお、障害時に在席中と判断される場合には、停電時でも操作可能な非ＩＰ電話端末を用いることにより、障害状態のＩＰ電話機の転送先を変更することができる。
【００２３】
本実施形態のＩＰ電話システムによれば、障害状態に陥る前のＩＰ電話端末の状態が登録（ログイン）状態である場合は在席と判断して、在席に適した登録状態用の転送先電話端末に当該呼を転送し、障害状態に陥る前の状態が非登録（ログアウト）状態である場合は不在と判断して、不在に適した非登録状態用の転送先電話端末に当該呼を転送するようにしているので、当該呼を最適な転送先に転送できるようになり、業務の効率化を図ることができる。また、その場合、登録状態用／非登録状態用の障害時転送先電話端末は、非登録時転送先電話端末とは異なる電話端末としているので、不在等により非登録状態になっている場合と、停電等により在席中にも拘わらず使用不可な障害状態になっている場合とで異なる電話端末に当該呼を転送できるようになり、両者を識別可能になる。
【００２４】
なお、本実施形態では、障害時転送先電話端末として非ＩＰ電話端末（例えばアナログ電話端末）４−３，４−４を用いるようにしたが、非ＩＰ電話端末に限定されるものではなく、例えば予め設定された非登録時転送先電話端末である非ＩＰ電話端末４−１とは異なる電話端末であれば、他の電話端末（ＩＰ電話端末や携帯電話等）を用いてもよい。ただし、非ＩＰ電話端末を用いた方が、停電時でも当該呼を転送可能であるので、確実に当該呼に応答できるようになり、好ましい。
【００２５】
図３は本発明の第２実施形態のＩＰ電話システムの概略構成を示す図である。本実施形態のＩＰ電話システムは、図１に示す第１実施形態のＩＰ電話システムにおいて、非登録状態用の転送先障害時転送先電話端末である転送先４を、非ＩＰ電話端末４−４からボイスメール装置５に変更したものであり、その他の部分は上記第１実施形態と同様に構成する。
【００２６】
本実施形態のＩＰ電話システムは、「非登録状態から障害状態になったＩＰ電話端末は『不在中』と判断されるので、非登録状態（ログアウト状態）の場合と転送先が同一になったとしても支障は無いこと」に着目したものであり、非登録（ログアウト）時の転送先である転送先１の非ＩＰ電話端末４−１をボイスメール装置５とすることも可能である。
【００２７】
本実施形態のＩＰ電話システムによれば、上記第１実施形態のＩＰ電話システムと同様の作用効果が得られる。
【図面の簡単な説明】
【００２８】
【図１】本発明の第１実施形態のＩＰ電話システムの概略構成を示す図である。
【図２】第１実施形態のＩＰ電話システムにおけるＩＰ構内交換機の各種機能を説明するための図である。
【図３】本発明の第２実施形態のＩＰ電話システムの概略構成を示す図である。
【図４】従来のＩＰ電話システムの概略構成を示す図である。
【図５】従来のＩＰ電話システムにおけるＩＰ構内交換機の各種機能を説明するための図である。
【符号の説明】
【００２９】
１  ＩＰ構内交換機（ＩＰ−ＰＢＸ）
２  ＬＡＮ
３−１〜３−４  ＩＰ電話端末
４−１〜４−４  非ＩＰ電話端末
５  ボイスメール装置
【図１】
2006140876.tif 000003
【図２】
2006140876.tif 000004
【図３】
2006140876.tif 000005
【図４】
2006140876.tif 000006
【図５】
2006140876.tif 000007